【事件の表示】
　特許第２９９２８４１号「アルコ−ル系油性マ−キングインキ組成物」の請求項１に係る特許に対する特許異議の申立てについて、次のとおり決定する。
【結　論】
　訂正を認める。
　特許第２９９２８４１号の請求項１に係る特許を維持する。
【理　由】
I　手続の経緯
　特許第２９９２８４１号の請求項１に係る発明についての出願は、平成３年３月２６日に特許出願され、平成１１年１０月２２日にその特許権の設定登録がなされ、その後、シャチハタ株式会社より特許異議の申立てがなされ、取消理由通知がなされ、その指定期間内である平成１３年３月３０日に訂正請求がなされたものである。
II　訂正の適否についての判断
１　訂正の内容
ア　訂正事項ａ
　訂正前の特許請求の範囲請求項１の記載を、
「【請求項１】一般式
ＣＨ３Ｏ（ＣＨ２ＣＨ２Ｏ）ｎＨ　　（１）
（ｎ：５〜２０の整数）で表されるメタノールのエチレンオキサイド付加物を含有してなるアルコール系油性マーキングインキ組成物」と訂正する。
イ　訂正事項ｂ
　明細書段落【０００６】を、
「【課題を解決する為の手段】　
　本発明の要旨は、一般式　
ＣＨ３Ｏ（ＣＨ２ＣＨ２Ｏ）ｎＨ　　（１）
（ｎ：５〜２０の整数）で表されるメタノールのエチレンオキサイド付加物を含有してなるアルコール系油性マーキングインキ組成物である。」と訂正する。
ウ　訂正事項ｃ
　明細書段落【０００７】を、
「すなわち本発明では上記一般式（１）で示されるメタノールのエチレンオキサイド付加物を使用することによって脱キャップ性が得られるのであってその付加モル数としては５〜２０の範囲が好ましい。」と訂正する。
２　訂正の目的の適否、新規事項の有無及び拡張・変更の存否
　上記訂正事項ａは、特許請求の範囲請求項１の式（１）中、ｎの定義を「５〜２０の整数」に限定するものであり、この訂正の根拠は、「本発明では上記一般式（１）・・・その付加モル数としては１〜２０の範囲が好ましい。」（本件特許公報２頁１３〜１６行）との記載及び実施例１において、５モルエチレンオキサイド添加メタノールとの記載に基づくものであるから、特許請求の範囲の減縮を目的とした明細書の訂正に該当し、また、訂正事項ｂ、ｃは、上記訂正事項ａと整合を図るものであるから、明りょうでない記載の釈明を目的とした明細書の訂正に該当し、いずれも、新規事項の追加に該当せず、実質上特許請求の範囲を拡張し、又は変更するものではない。　　なお、上記訂正事項ｃ及び訂正明細書段落【０００７】の「メタール」は「メタノール」の誤記であることが明らかであるので、その旨訂正して記載した。
３　むすび
　以上のとおりであるから、上記訂正は、特許法第１２０条の４第３項において準用する平成六年法改正前の第１２６条第１項ただし書及び第２項の規定に適合するので、当該訂正を認める。
III　特許異議の申立てについての判断
１　異議申立ての理由の概要
　異議申立人は、甲第１ないし５号証を提出し、本件発明は、甲第１、２号証の記載を参酌すれば、甲第３ないし５号証に記載された発明であるから、特許法第２９条第１項第３号に該当し、特許を受けることができない旨主張している。
２　本件発明
　特許第２９９２８４１号の請求項１に係る発明（以下「本件発明」という。）は、訂正明細書の特許請求の範囲の請求項１に記載された次のとおりのものである。
「【請求項１】一般式
ＣＨ３Ｏ（ＣＨ２ＣＨ２Ｏ）ｎＨ　　（１）
（ｎ：５〜２０の整数）で表されるメタノールのエチレンオキサイド付加物を含有してなるアルコール系油性マーキングインキ組成物」
３　引用刊行物等
刊行物１：特開昭５２−５６６３２号公報（甲第３号証）
刊行物２：特開昭５６−６５０６０号公報（甲第４号証）
刊行物３：特開昭５７−４４６８４号公報（甲第５号証）
甲第１号証：化学大辞典５、昭和４４年８月１５日、共立出版株式会社、
　　　　　　４３１頁
甲第２号証：化学大辞典８、昭和４４年９月１０日、共立出版株式会社、
　　　　　　７４３頁
４　引用刊行物等に記載された事項
　刊行物１には、油性マーキングインキの製造法に関し、以下の事項が記載されている。
ア「本文に記載し、本文の方法に依り、エチレングリコールモノメチルエーテル或いはエチレングリコールモノエチルエーテルに、ポリオキシエチレンノニールフェノールエーテル系ノニオン活性剤を添加した液に油性染料を溶解して成る油性マーキングインキの製造法」（特許請求の範囲）
イ「本発明は殆んど臭気のない然も毒性の無いエチレングリコールモノメチルエーテル或はエチレングリコールモノエチルエーテル等の有機溶剤にロジンを溶解し、・・・油性染料を溶解して成るインキで・・・プラスチックフィルムの表面によく膠着して耐水性を保つものゝ製造法である。」（２頁左下欄１５行〜右下欄３行）
　刊行物２には、油性インキに関して、以下の事項が記載されている。
ウ「エダロシン系染料と、油溶性樹脂と、セルソルブ系溶剤６０〜８０重量％と、炭素数４以上のアルコール系溶剤５〜１５重量％と、弗素系界面活性剤とを少なくとも含有する油性インキ。」（特許請求の範囲）
エ「セルソルブ系溶剤は、染料の溶解あるいは粘度調整のため、及びアルコール系溶剤と相俟って白化を防止するために主に使用せられるもので、その具体例としてはエチレングリコールモノメチルエーテル、エチレングリコールモノエチルエーテル、エチレングリコールモノブチルエーテル、ジエチレングリコールモノメチルエーテル、ジエチレングリコールジエチルエーテル、ジエチレングリコールジブチルエーテル、トリエチレングリコールモノメチルエーテル、・・・などが挙げられ、その単独又は組み合わせて使用可能である。」（２頁右上欄１１行〜左下欄６行）
　刊行物３には、油性インキに関して、以下の事項が記載されている。
オ「油溶性染料と、有機溶剤と、該有機溶剤と水とに可溶な樹脂とから少なくともなる油性インキ。」（特許請求の範囲）
カ「有機溶剤は、油溶性染料を溶解する為に主に使用されるもので、その具体的例としてはエチレングリコールモノメチルエーテル、エチレングリコールモノエチルエーテル、エチレングリコールモノブチルエーテル、ジエチレングリコールモノメチルエーテル、ジエチレングリコールジエチルエーテル、ジエチレングリコールジブチルエーテル、トリエチレングリコールモノメチルエーテル・・・などのセロソルブ系溶剤や、・・・脂肪族アルコール系溶剤などが挙げられ、単独もしくは混合して使用可能であり」（２頁右上欄１１行〜左下欄９行）
　甲第１号証には、セロソルブがエチレングリコールのモノエーテルの総称であり、工業的に極めて有用な溶剤であるが、同様の目的に用いられる化合物にジエチレングリコールエチルエーテルがあり、カルビトールとして知られていることが記載されている。
　甲第２号証には、ポリエチレングリコールエーテルについて記載されている。
５　対比・判断
　本件発明と刊行物１ないし３に記載された発明を対比すると、刊行物１ないし３には「一般式　ＣＨ３Ｏ（ＣＨ２ＣＨ２Ｏ）ｎＨ（１）（ｎ：５〜２０の整数）で表されるメタノールのエチレンオキサイド付加物を含有してなるアルコール系油性マーキングインキ組成物」について記載されていない。
　すなわち、刊行物１には、上記一般式中、ｎが１のものしか記載されておらず、また、刊行物３にはｎが１〜３のものしか示されていない。
　さらに、刊行物２には、セロソルブ系溶剤を使用することが記載されており、上記甲第１号証の記載を参酌すると、該セルソルブはエチレングリコールのモノエーテルの総称であることが認められる。しかしながら、刊行物２には、当該セロソルブ系溶剤が具体的にどの範囲の化合物を包含するかは明示されていないところ、当該セロソルブ系溶剤の具体例（上記エ参照）等を総合的に考慮してみれば、上記一般式（１）中、ｎが１〜３程度のものしか開示されていないと解するのが自然であるから、刊行物２には、本件発明の一般式（１）中、ｎが５〜２０のものが記載されているとはいえない。
　また、甲第１号証及び甲第２号証は、本件発明のインキ組成物について何ら触れるものではない。
　したがって、本件発明は、甲第１、２号証の記載を参酌しても、刊行物１ないし３に記載された発明であるとはいえない。
６　むすび
　以上のとおりであるから、特許異議申立の理由及び証拠によっては、本件発明に係る特許を取り消すことができない。
　また、他に本件発明に係る特許を取り消すべき理由を発見しない。
　よって結論のとおり決定する。
【異議決定日】
平成１３年６月１８日（２００１．６．１８）
【訂正の要旨】
　訂正の要旨
１　訂正事項ａ
　特許請求の範囲の減縮を目的として、特許請求の範囲請求項１の記載を、
「【請求項１】一般式
ＣＨ３Ｏ（ＣＨ２ＣＨ２Ｏ）ｎＨ　　（１）
（ｎ：５〜２０の整数）で表されるメタノールのエチレンオキサイド付加物を含有してなるアルコール系油性マーキングインキ組成物」と訂正する。
２　訂正事項ｂ
　明りょうでない記載の釈明を目的として、
　明細書段落【０００６】を、
「【課題を解決する為の手段】
　本発明の要旨は、一般式
ＣＨ３Ｏ（ＣＨ２ＣＨ２Ｏ）ｎＨ　　（１）
（ｎ：５〜２０の整数）で表されるメタノールのエチレンオキサイド付加物を含有してなるアルコール系油性マーキングインキ組成物である。」と訂正する。
３　訂正事項ｃ
　明りょうでない記載の釈明を目的として、
　明細書段落【０００７】を、
「すなわち本発明では上記一般式（１）で示されるメタノールのエチレンオキサイド付加物を使用することによって脱キャップ性が得られるのであってその付加モル数としては５〜２０の範囲が好ましい。」と訂正する。
（５４）【発明の名称】
アルコール系油性マーキングインキ組成物
（５７）【特許請求の範囲】
　【請求項１】
一般式
　ＣＨ３Ｏ（ＣＨ２ＣＨ２Ｏ）ｎＨ　　　　（１）
（ｎ：
５〜２０
【発明の詳細な説明】
　【０００１】
　【産業上の利用分野】
　本発明はマ−キング用として使用される油性インキ組成物に関し、特に蒸発を抑制した脱キャップ性のすぐれたアルコ−ル系油性マ−キングインキ組成物に関する。
　【０００２】
　【従来の技術】
　従来より、マ−キングインキに対して要望されている特性の一つに脱キャップ性がある。すなわちペン先付筆記具において保存中もしくはキャップをはずし、長時間大気中にさらしていてもインキ切れを生ずることなく常に円滑に筆記できるような特性を有するインキを通常脱キャップ性のすぐれたインキと云われている。このような特性はインキの揮発速度（蒸発速度）を抑制することによって達成される。
　【０００３】
　しかして、従来蒸発速度をおさえたインキ組成物としてエタノ−ルアミン類及び／又はヒドロキシル基にエチレンオキサイドを付加したエタノ−ルアミン誘導体を配合した水性インキ（例えば特公昭５７−３８６２８号公報）、エチレンオキサイド及び／又はプロピレンオキサイドを付加したグルコ−ス誘導体を配合した水性インキ（例えば特開昭５９−５９７５５号公報）或いは、ヒドロキシル基にエチレンオキサイドを付加させたグルコール酸誘導体を配合した水性インキ等がある。
　【０００４】
　これらは何れもエチレンオキサイド付加物を付加して蒸発速度を抑えているが全て水性インキに関するもので、必ずしも油性インキに適用できなかった。
　【０００５】
　本発明者は、マ−キング用油性インキの蒸発速度をおさえ、アルコ−ル系で脱キャップ性にすぐれたインキについて検討した結果、本発明を完成したもので、本発明の目的は溶解力を有し、脱キャップ性を有するアルコ−ル系油性マ−キングインキを提供するものである。
　【０００６】
　【課題を解決する為の手段】
　本発明の要旨は、一般式
ＣＨ３Ｏ（ＣＨ２ＣＨ２Ｏ）ｎＨ　　　　　（１）
（ｎ：
５〜２０
で表されるメタノ−ルのエチレンオキサイド付加物を含有してなるアルコ−ル系油性マーキングインキ組成物である。
　【０００７】
　すなわち本発明では上記一般式（１）で示されるメタノ−ルのエチレンオキサイド付加物を使用することによって脱キャップ性が得られるのであってその付加モル数としては
５
　【０００８】
　本発明について詳細に説明する。
　本発明において使用する染料は通常マ−キングインキに使用されている油性染料で含金属染料としてはＶａｌｉ　Ｆａｓｔ　Ｂｌａｃｋ　３８０６，　Ｏｒａｚｏｌ　Ｂｌａｃｋ　ＲＬ、造塩染料としてはＶａｌｉ　Ｆａｓｔ　Ｒｅｄ　１３０８，　Ｂｌｕｅ　１６０３，　Ｙｅｌｌｏｗ　１１０１、塩基性染料としては、Ｖｉｃｔｏｒｉａ　Ｂｌｕｅ　Ｆ４Ｇ、　Ｍｅｔｈｙｌ　Ｖｉｓｏｌｅｔ　ＦＮ．また、ニグロシン系としては、ニグロシルベ−スＥＸ．レ−キブラックＨなどで、これらの染料を単独もしくは混合使用してもよい。
　【０００９】
　また、使用する樹脂としては、天然ロジン樹脂、ケトン樹脂、フェノ−ル樹脂等通常インキ組成物に用いられる樹脂であり、溶剤としてはアルコ−ル系有機溶剤で例えばエタノ−ル、ｎ−プロパノ−ル、ｉｓｏ−プロパノ−ル、ブタノ−ル、ベンジルアルコ−ル、プロピレングリコ−ルモノメチルエ−テル（ＰＧＭ）、ｎ−メチル−２−ピロリドン等がある。更にこれにフッ素系活性剤を添加してもよい。
　【００１０】
　次に実施例をもって本発明を更に具体的に説明する。なお実施例中の配合割合は重量％を示す。
　【００１１】
実施例１
　エタノ−ル　　　　　　　　　　　　　　　　　　　　５０．０％
　ｎ−プロパノ−ル　　　　　　　　　　　　　　　　　１５．０％
　ロジンＷ　　　　　　　　　　　　　　　　　　　　　　７．０％
　Ｖａｌｉ　Ｆａｓｔ　Ｒｅｄ　１３０８　　　　　　　　７．０％
　フッ素系活性剤（ＦＣ−４３０）　　　　　　　　　　　０．３％
　５モルエチレンオキサイド添加メタノール　　　　　　２０．０％
　上記の各成分を混合し、室温で攪拌して赤色マ−キングインキを得た。
　【００１２】
比較例１
　エタノ−ル　　　　　　　　　　　　　　　　　　　　７０．７％
　ｎ−プロパノ−ル　　　　　　　　　　　　　　　　　１５．０％
　ロジンＷ　　　　　　　　　　　　　　　　　　　　　　７．０％
　Ｖａｌｉ　Ｆａｓｔ　Ｒｅｄ　１３０８　　　　　　　　７．０％
　フッ素系活性剤（ＦＣ−４３０）　　　　　　　　　　　０．３％
　上記の各成分を実施例１と同様な方法で混合、撹拌して赤色マーキングインキを得た。
　【００１３】
　これらのインキを市販のマーキングペンに充填し、そのキャップをはずし大気中に放置したところ比較例のマ−キングインキは約２時間でカスレを生じ、円滑に筆記することは出来なかったが、エチレンオキサイド付加メタノ−ルを添加した実施例の場合は６時間でカスレを生じ、６時間以内では満足すべき筆記特性を有する。
　【００１４】
　【発明の効果】
　以上、述べたように本発明はマ−キングインキ中にエチレンオキサイド付加メタノ−ルを添加することによってインクの揮発性を抑制し、脱キャップ性改善する効果を奏するのである。